(57)【要約】【課題】網状部材から成る便受けを用いて固形分である屎と液分である尿とを分離する場合において、便受けが目詰りを生じて屎尿の分離効率が低くなるのを防止し、高い分離効率を持続することのできる屎尿分離便器装置を提供する。【解決手段】網状部材から成る便受け１８にて排泄物を受け、排泄物中の液分である尿を便受け１８の孔２２を通過させることにより固形分である屎と液分である尿とを分離するようになした屎尿分離便器装置１０において、便受け１８の各孔２２内に突き刺さって目詰りを防止する針状突起４８を備えた掃除機構４６を設ける。【選択図】        図１
2005304970.tif 000002
【特許請求の範囲】
【請求項１】
多孔板から成る便受けにて排泄物を受け、該排泄物中の液分である尿を該便受けの孔を通過させることにより固形分である屎と液分である尿とを分離するようになした屎尿分離便器装置において、
前記便受けを掃除して目詰りを防止する掃除機構を設けたことを特徴とする屎尿分離便器装置。
【請求項２】
請求項１において、前記便受けが網状部材にて構成してあることを特徴とする屎尿分離便器装置。
【請求項３】
請求項１，２の何れかにおいて、前記掃除機構が前記便受けの各孔に対応して位置する複数の針状突起を有しており、該便受けとそれら針状突起との相対運動により、それら針状突起を該便受けの各孔内に突き刺して各孔を掃除するものとなしてあることを特徴とする屎尿分離便器装置。
【請求項４】
請求項１，２の何れかにおいて、前記掃除機構が前記便受け上を相対摺動するブラシを有しており、該ブラシの該便受けに対する相対摺動により該便受けを掃除するものとなしてあることを特徴とする屎尿分離便器装置。
【発明の詳細な説明】
【技術分野】
【０００１】
この発明は排泄物中の固形分である屎と液分である尿とを分離して排出する屎尿分離便器装置に関する。
【背景技術】
【０００２】
下水道設備が整備されていない地域や場所に設置されるトイレ、例えば建築現場や山岳地帯，キャンプ場，公園等に設置されるトイレ、或いは船舶や列車等に設置されるトイレでは、便器の排出口から落下した排泄物を、固形分である屎（大便）及び液分である尿（小便）を一緒に同一の槽内に受けて、それらを一括して溜めるようにしている。
【０００３】
これら排泄物のうち、液分の尿中には植物の養分が多く含有されており、不足の養分を補うことによってそれ自身有用な肥料となる。
一方固形分である屎もまた堆肥化することによって植物の有用な肥料となる。
【０００４】
ところが上記のように下水道設備が整備されていない地域や場所に設置されるトイレでは、固形分である屎と液分である尿（更には洗浄水）が一括して同一槽内に溜められるようになっているため、尿のみを有用な肥料として用いるといったことができないとともに、排泄物を堆肥化するに当ってはそれらを一括して処理しなければならない。
【０００５】
この堆肥化は、排泄物を好気性の微生物によって発酵処理するものであるが、このとき排泄物中に多量の液分が含まれていると良好な好気性条件が得られず、堆肥化が良好に行われない。
そこで便器からの排泄物を屎と尿とに分離するようになしたものが従来種々提案されている。
【０００６】
例えば下記特許文献１には、図６に示しているように便器２００の排出口２０２の下方に傾斜網２０４を設け、排出口２０２を通じて排出される排泄物中の液分である尿をその傾斜網２０４の網目を通過させて下方の尿槽２０６側に落下させ、また固形分である屎については傾斜網２０４の傾斜を利用して屎槽２０８側へと滑落させるようになした点が開示されている。
【０００７】
また下記特許文献２には、便器の排出口の下方に多孔性斜板を傾斜状態に設け、屎が斜板上を滑落する間に屎と尿とに分離するようになした点が開示されている。
この特許文献２では、多孔性斜板として網状部材から成るものを用い得る点が開示されている。
【０００８】
しかしながらこれら特許文献１，特許文献２に開示の屎尿分離便器装置のように傾斜網，多孔性斜板等の便受けの多孔を利用して固形物である屎と液分である尿とを分離するようになした屎尿分離便器装置では、便受けの各孔内に屎の一部が入り込んで次第に各孔の隙間が小さくなったり目詰りしてしまい、屎尿の分離効率が低くなるといった問題が内在している。
【０００９】
【特許文献１】実開平６−１４２８３号公報
【特許文献２】特開２００１−１２８８８６号公報
【発明の開示】
【発明が解決しようとする課題】
【００１０】
本発明は以上のような事情を背景とし、多孔板から成る便受けを用いて固形分である屎と液分である尿とを分離する場合において、便受けが目詰りを生じて屎尿の分離効率が低くなるのを防止し、高い分離効率を持続することのできる屎尿分離便器装置を提供することを目的としてなされたものである。
【課題を解決するための手段】
【００１１】
而して請求項１のものは、多孔板から成る便受けにて排泄物を受け、該排泄物中の液分である尿を該便受けの孔を通過させることにより固形分である屎と液分である尿とを分離するようになした屎尿分離便器装置において、前記便受けを掃除して目詰りを防止する掃除機構を設けたことを特徴とする。
【００１２】
請求項２のものは、請求項１において、前記便受けが網状部材にて構成してあることを特徴とする。
【００１３】
請求項３のものは、請求項１，２の何れかにおいて、前記掃除機構が前記便受けの各孔に対応して位置する複数の針状突起を有しており、該便受けとそれら針状突起との相対運動により、それら針状突起を該便受けの各孔内に突き刺して各孔を掃除するものとなしてあることを特徴とする。
【００１４】
請求項４のものは、請求項１，２の何れかにおいて、前記掃除機構が前記便受け上を相対摺動するブラシを有しており、該ブラシの該便受けに対する相対摺動により該便受けを掃除するものとなしてあることを特徴とする。
【発明の作用・効果】
【００１５】
以上のように本発明は、多孔板から成る便受けにて排泄物を受け、その便受けの孔により固形分である屎と液分である尿とを分離するようになした屎尿分離便器装置において、その便受けを掃除して目詰りを防止する掃除機構を設けたもので、本発明によれば、屎尿分離を繰り返すうちに便受けの各孔が目詰りして次第に屎尿の分離効率が低下するのを防止し、屎尿分離の効率を高効率に維持し得て、排泄物に対する処理が容易となる効果が得られる。
ここで上記便受けは網状部材にて構成しておくことが望ましい（請求項２）。
【００１６】
本発明においては、上記掃除機構を便受けの各孔に対応して位置する複数の針状突起を備えたものとなし、便受けとそれら針状突起との相対運動により、各針状突起を便受けの各孔内に突き刺して各孔を掃除するものとなしておくことができる（請求項３）。
このようにしておけば、各孔内に入り込んだ屎を針状突起によって効果的に各孔から押し出して各孔の目詰りを効率的に防止することができる。
【００１７】
一方においてかかる掃除機構を、便受け上を相対摺動するブラシを有するものとなし、そのブラシの相対摺動により便受けを掃除するようになすこともできる（請求項４）。
このようにしておけば、ブラシの相対摺動により便受けの各孔内に入り込んだ屎を外に擦り出すことで効果的に便受けを掃除でき、かかる便受けを常に目詰りのない状態に維持することができる。
【発明を実施するための最良の形態】
【００１８】
次に本発明の実施形態を図面に基づいて詳しく説明する。
図１において、１０は本実施形態の屎尿分離便器装置で、１２は便器、１４は便器底部である。
便器底部１４には排出口１６が設けられており、そこに網状部材にて構成した便受け１８が軸２０回りに回動可能に設けられている。
ここで便受け１８は通常時は排出口１６を閉じた状態にある。
【００１９】
この便受け１８は多数の孔（網目）２２を有しており、これら孔２２を通じて排泄物中の液分である尿を下方に通過させるようになっている。
即ちこの便受け１８は、排泄物中の固形分である屎を便受け１８上に残す一方、液分である尿を多数の孔２２を通過させて下方に落下させるようになっている。
【００２０】
この便受け１８には、その先端側に下向きに延びる湾曲形状の蓋体２４が一体回動する状態で設けられている。
この蓋体２４は、孔２２を通過した尿を後述の尿管３０へと案内するガイドとしての機能も有している。即ち蓋体２４は尿の案内のためのガイドを兼用している。
【００２１】
２６，２８は固形分である屎，液分である尿をそれぞれ内部に貯溜する屎槽，尿槽で、それぞれ屎管２９，尿管３０、更に共通の排出管４４を介して便器１２、詳しくは便器底部１４の排出口１６に連絡されている。
【００２２】
ここで尿管３０にはトラップ３２が設けられており、このトラップ３２によって、尿槽２８側から便器１２内部への臭気の逆流が防止されている。
尚、蓋体２４即ちガイドにて案内された尿は尿管３０における湾曲面３４を経てトラップ３２へと流入する。
【００２３】
３６は操作部材としての足踏ペダルで、軸３８回りに回動可能に設けられている。
この足踏ペダル３６からはロッド状の作用部３７が延び出しており、その先端に操作力伝達用のワイヤ３９の一端が接続固定されている。
ワイヤ３９はガイドローラ４０に巻き掛けられた上、他端が上記便受け１８に接続固定されている。
【００２４】
この実施形態では、足踏ペダル３６を図中下向きに踏み込むと、ワイヤ３９により便受け１８が図中下向きに引っ張られて回動運動する。
また踏込力を解除すると復帰ばね４２の付勢力で便受け１８が元の位置へと復帰する。
【００２５】
上記排出管４４には、便受け１８を１回払出し動作するごとにこれを掃除する掃除機構４６が設けられている。
ここで掃除機構４６は多数の針状突起４８から成っており、便受け１８が図２の（Ｉ）の状態から（II）に示す状態まで回動するごとに、それら多数の針状突起４８が便受け１８の孔２２内に突き刺さって網目、即ち孔２２の掃除を行う。
【００２６】
本実施形態の屎尿分離便器装置１０では、便器底部１４の排出口１６に設けられた便受け１８にて排泄物が受けられる。
そしてその排泄物中の固形分である屎が便受け１８上に残されて、液分である尿が便受け１８の多数の孔２２を通じて下方に落下させられる。
下方に落下した尿は、尿管３０を通じて下方の尿槽２８へと案内されてそこに貯溜される。
【００２７】
このとき（通常時）蓋体２４は屎管２９側を閉鎖した状態にあり、屎槽２６側の臭気が排出口１６を通じて便器１２内部、ひいては便室内へと逆流するのが防止される。
【００２８】
この状態で足踏ペダル３６を足踏操作すると、便受け１８が図２に示しているように軸２０回り反時計方向に回動し、便受け１８上に残っていた固形分である屎を、屎管２９を通じて屎槽２６側へと払い出す。
【００２９】
これと同時に、排出管４４に設けた針状突起４８が便受け１８の回動端において便受け１８の各孔２２内に突き刺さり、各孔２２内の屎を外側に押し出すように孔２２の掃除を行う。即ち便受け１８の掃除を行う。
その後足踏ペダル３６への踏込力を除くと、便受け１８が図１及び図２中時計方向に回動して原位置へと復帰する。
【００３０】
以上のようにして本実施形態の屎尿分離便器装置１０においては、排泄物中の屎と尿とが良好に分離されて、それぞれが屎槽２６と尿槽２８とに貯溜される。
また便受け１８を回動操作して便受け１８上の屎を払い出す動作を行うごとに、便受け１８の掃除が掃除機構４６によって行われる。
【００３１】
このように本実施形態では便受け１８を掃除して目詰りを防止する掃除機構４６を設けていることから、屎尿分離を繰り返すうちに便受け１８の各孔２２が目詰りして次第に屎尿の分離効率が低下するのを防止し得、屎尿分離の効率を高効率に維持することができる。
【００３２】
尚この実施形態において、ガイドを兼ねた蓋体２４を省略することも場合によって可能であり、この場合においても便受け１８の孔２２及びその回動運動によって、屎と尿とを良好に分離することが可能である。
【００３３】
またここでは便受け１８が網状部材にて構成してあるが、場合によって金属板等の板に多数の孔を穿孔して、便受け１８を構成するといったことも可能である。
この点は後の実施形態においても同様である。
【００３４】
図３は本発明の他の実施形態を示している。
この実施形態では、排出口１６の下方且つ尿管３０側に網状部材（多孔板）から成る便受け１８が尿管３０を横切る状態で固定状態に設けられており、そしてこの便受け１８と排出口１６との間に、便受け１８上に残った屎を屎管２９側に払い出す払出し部材５０が、軸５２回りに回動可能に設けられている。即ち便受け１８上を移動する払出し部材５０が便受け１８上に設けられている。
【００３５】
図３において、５４は通常時に屎管２９と排出口１６との間を遮断状態に保つ蓋体で、この蓋体５４によって屎槽２６側から便器１２内部への臭気の逆流が防止されるようになっている。
この蓋体５４は、板状の払出し部材５０と平行に設けられていて、それらが連結バー５８によって連結され、それらが各軸５２，５６回りに一体回動させられるようになっている。
【００３６】
図３において、６０は操作部材としてのレバーで、このレバー６０から延び出したアーム６２の先端に、操作力を伝達するためのワイヤ６４の一端が接続固定されている。
ワイヤ６４の他端は蓋体５４に接続固定されており、レバー６０を回転操作すると、ワイヤ６４を介してその操作力が蓋体５４に伝達されて、かかる蓋体５４及びこれに連結バー５８にて連結された払出し部材５０が一体に図３〜図５中反時計方向に回動させられる。
その後操作力を除くと復帰ばね６５によって払出し部材５０及び蓋体５４が一体に時計方向に回動させられて、原位置へと復帰する。
【００３７】
本実施形態において、これら払出し部材５０及び蓋体５４の先端部にはブラシ６６が設けられており、払出し部材５０及び蓋体５４の回動時に、それらブラシ６６が網状部材から成る便受け１８上を摺動して、便受け１８を掃除するようになっている。
【００３８】
本実施形態では、これら払出し部材５０及び蓋体５４の各先端部に設けられたブラシ６６が、便受け１８を掃除する掃除機構７０（図４参照）を構成している。
【００３９】
尚、上記払出し部材５０及び蓋体５４は掃除機構７０における可動部材としてのもので、これら払出し部材５０及び蓋体５４としての機能を有しない可動部材を設けて、それら可動部材の先端にブラシ６６を設け、掃除機構７０を構成するようになすことも可能である。
【００４０】
次に本実施形態の作用を説明する。
この実施形態では、払出し部材５０及び蓋体５４は通常時は図３及び図５（Ｉ）に示す状態にあり、屎管２９と便器１２の排出口１６とを蓋体５４が実質上遮断した状態にある。
従ってこのとき屎槽２６側の臭気が便器１２内部へと逆流することはない。
【００４１】
この状態で便器１２が使用されると、排泄物が便受け１８上に排出口１６を通じて排出される。
このとき排泄物中の固形分である屎のみが便受け１８上に残り、液分である尿が便受け１８の孔２２を通じて下方に落下する。即ち尿管３０内に落下する。そしてその尿管３０を通じて尿槽２８へと導かれ、そこに貯溜される。
尚用足し後に若干の洗浄水を流しておけば、トラップ３２内に尿が残って臭気逆流の原因となるのを防止できる。
【００４２】
この状態でレバー６０を回転操作すると、その操作力がワイヤ６４を介して蓋体５４及び払出し部材５０に伝えられ、それらが図中反時計方向に回動運動させられて、図５（II）に示す状態となる。
そしてその過程で、便受け１８上に残っていた屎が屎管２９側に払い出され、更にはその屎管２９を通じて屎槽２６内に落下し、そこに貯溜される。
その後レバー６０に加えていた操作力を除くと、復帰ばね６５の付勢力で蓋体５４及び払出し部材５０が原位置へと復帰する。
【００４３】
この実施形態では、それら払出し部材５０及び蓋体５４の先端部にブラシ６６が設けられていて、それら払出し部材５０及び蓋体５４が回動運動する際に、ブラシ６６が便受け１８上を摺動して便受け１８を掃除する。
【００４４】
この実施形態では、便受け１８上の屎を払出し動作するごとにブラシ６６の摺動によって便受け１８の孔２２内に入り込んだ屎を外に擦り出してこれを掃除でき、かかる便受け１８を常に目詰りのない状態に維持し得て屎尿の分離効率を高効率に維持することができる。
【００４５】
以上本発明の実施形態を詳述したがこれらはあくまで一例示であり、本発明はその趣旨を逸脱しない範囲において種々変更を加えた形態で構成可能である。
【図面の簡単な説明】
【００４６】
【図１】本発明の一実施形態の屎尿分離便器装置を示す図である。
【図２】同実施形態における掃除機構の作用説明図である。
【図３】本発明の他の実施形態を示す図である。
【図４】図３の掃除機構を拡大して示す図である。
【図５】図３，図４の掃除機構の作用説明図である。
【図６】従来の屎尿分離便器装置の一例を示す図である。
【符号の説明】
【００４７】
１０  屎尿分離便器装置
１８  便受け
２２  孔
４６，７０  掃除機構
４８  針状突起
６６  ブラシ
【図１】
2005304970.tif 000003
【図２】
2005304970.tif 000004
【図３】
2005304970.tif 000005
【図４】
2005304970.tif 000006
【図５】
2005304970.tif 000007
【図６】
2005304970.tif 000008